(57)【要約】【課題】現在のインターネットの有する問題点を解決する。【解決手段】ネットワークシステム１は、加入者の端末装置２、端末装置２とクラウドルータ５を接続するアグリゲーションネットワーク３、及び、ルータが集中配置されたクラウドルータ５とサービス提供サーバ６を有するサービスクラウド４から構成される。アグリゲーションネットワーク３は加入者又は加入者のグループ（加入者等）からのデータを多重してクラウドルータ５に接続し、クラウドルータ５はデータのルーティングを行い、宛先の加入者等に対応する通信リソースにデータを割り当ててアグリゲーションネットワーク３に出力し、アグリゲーションネットワーク３は宛先の加入者等にデータを分配する。これにより遅延時間を極めて小さくでき、ルータの総設備規模の縮小化が図れ、ルータ容量を大規模化でき、エネルギー効率を抜本的に向上させることができる。【選択図】図１
2011188263.tif 000002
【特許請求の範囲】
【請求項１】
加入者端末装置又は複数加入者端末装置から構成されるグループ（以下、「加入者端末装置等」という。）単位で通信リソースが割り当てられており、前記加入者端末装置等からその加入者端末装置等に割り当てられている通信リソースを用いて送信されたデータを集線してクラウドルータに接続するとともに、前記クラウドルータから送出されたデータをその宛先の加入者端末装置等に分配するアグリゲーションネットワークと、
集中配置されたルータにより前記アグリゲーションネットワークを介して受信した前記加入者端末装置等から送信されたデータを、そのデータの宛先の加入者端末装置等に割り当てられた通信リソースに対してスイッチングするクラウドルータを有するサービスクラウドと
を有することを特徴とするネットワークシステム。
【請求項２】
前記サービスクラウドに、前記クラウドルータに接続され、ネットワークサービスを提供するためのサービス提供サーバが設けられていることを特徴とする請求項１記載のネットワークシステム。
【請求項３】
前記アグリゲーションネットワークに、前記加入者端末装置等からの通信帯域要求又は、前記加入者端末装置等への通信帯域に対応して通信リソースを割り当てるデータプレーン制御装置が設けられていることを特徴とする請求項１記載のネットワークシステム。
【請求項４】
前記クラウドルータは複数のルータの相互接続により構成された１台の仮想ルータであり、該仮想ルータを構成する各ルータは独立ルータとして動作可能な複数のサブ仮想ルータから構成され、トラヒック変動に対応してダイナミックにデータのスイッチング容量を変更し、不要部分の電源を断とすることでトラヒックに対応してクラウドルータの消費電力を制御することができるパワースケーラブルなルータであることを特徴とする請求項１記載のネットワークシステム。
【請求項５】
前記アグリゲーションネットワークは、前記加入者端末装置等からの通信帯域要求又は、前記加入者端末装置等への通信帯域に対応して、波長、光スロット又はそれらの組み合わせである光リソースを割り当てるものであり、前記加入者端末装置等からのデータを光リソース上の光信号のままトランスペアレントに多重化して前記クラウドルータに接続し、前記クラウドルータから送出されるデータを光リソース上の光信号のままトランスペアレントに分離して宛先の加入者端末装置等に配送するものであることを特徴とする請求項１記載のネットワークシステム。
【請求項６】
前記アグリゲーションネットワークは、前記加入者端末装置等からの通信帯域要求又は、前記加入者端末装置等への通信帯域に対応してＳＴＭのペイロードを割り当てるものであり、前記加入者端末装置等からのペイロードを多重化して前記クラウドルータに接続し、前記クラウドルータから送出されるペイロードを分離して宛先の加入者端末装置等に配送するものであることを特徴とする請求項１記載のネットワークシステム。
【請求項７】
前記アグリゲーションネットワークは、前記加入者端末装置等からの通信帯域要求又は、前記加入者端末装置等への通信帯域に対応してＭＰＬＳパスを割り当てるものであり、前記加入者端末装置等からのＭＰＬＳパスを多重化して前記クラウドルータに接続し、前記クラウドルータから送出されたデータのＭＰＬＳパスを分離して宛先の加入者端末装置等に配送するものであることを特徴とする請求項１記載のネットワークシステム。
【請求項８】
前記アグリゲーションネットワークと前記クラウドルータとの間にクロスコネクト装置を設置し、該クロスコネクト装置により通信リソースの収容効率を上げた伝送回線で前記クラウドルータに接続し、通信で使用しない装置及び回線インターフェース部の電源を断とするようになされていることを特徴とする請求項４記載のネットワークシステム。
【発明の詳細な説明】
【技術分野】
【０００１】
本発明はネットワークシステムに関する。
【背景技術】
【０００２】
図１２は、現在のインターネットの網構成を示す図である。
この図に示すように、現在のインターネットは、ユーザの各種端末装置とデータセンタやＩＳＰ（Internet Services Provider）などのサーバ装置とが接続された複数の自律システム（ＡＳ：Autonomous System）が相互に接続されたネットワーク構成となっている。各ＡＳの内部には、複数のルータが設けられ、相互に接続されている。
図１３は、１９９８年６月の北米におけるインターネットのホップ数の分布を示す図である。この図に示すように、インターネットの平均ホップ数は１７という大きな値となっている。
非特許文献１（平成２１年度情報通信白書）によれば、ブロードバンド契約者の平均トラヒックは３０kbps（約３０００万加入の平均アップロードトラヒック：２３kbps、平均ダウンロードトラヒック：３３kbps）とされている。
また、非特許文献２（ＮＩＣＴ「新世代ネットワークにおけるビジョンと技術要件：2009年2月」）によると、ブロードバンドトラヒックは年率１．４倍で増加し、２０１２年のＩＣＴ（Information and Communication Technology：情報通信技術）電力消費予測は５７０億kWhとなり、ルータ＋ＬＡＮスイッチでその２１％を占めると予測されている。
非特許文献３によれば、ルータの消費電力Ｐは、スイッチング容量Ｃの２／３乗に比例する（Ｐ＝Ｃ2/3）。
【先行技術文献】
【非特許文献】
【０００３】
【非特許文献１】総務省、情報通信白書平成２１年版、2009年7月、インターネット＜URL：http://www.soumu.go.jp/johotsusintokei/whitepaper/ja/h21/pdf/index.html＞
【非特許文献２】独立行政法人 情報通信研究機構 新世代ネットワーク研究開発戦略本部著、「新世代ネットワークにおけるビジョンと技術要件」、2009年2月、インターネット＜http://nwgn.nict.go.jp/report/NWGN-Vision-NICT-Report-V2-2009.pdf＞
【非特許文献３】Rodney S. Tucker, “Optical Packet-Switched WDM Networks : a Cost and Energy Perspective”, OMG1, OFC/NFOFC 2008, March 2008.
【発明の概要】
【発明が解決しようとする課題】
【０００４】
上述した現在のインターネット網は、次の（１）〜（４）の問題点を有している。
（１）冗長なネットワーク構成と遅延問題
現在のインターネット網は自律システム（ＡＳ）間をクラスタ接続した網であるため、１つのＩＰパケットスイッチと捉えた場合、１対１接続のスイッチとしては冗長な構成となっている。
また、ホップ数が大きいことから、データ転送遅延とジッタが大きく、ＶｏＩＰや電話会議での音質劣化、画像劣化、会話応答遅延等が発生し問題となっている。このことは、各ルータのパケットスイッチング遅延時間とパケットスイッチング時間ジッタが、前記図１３に示されているように平均ホップ数分加算されることから裏付けられる。
さらに、各ルータはＩＰパケットのスイッチング容量を殆ど活用できていない。このことは、前述のようにブロードバンド契約者の平均トラヒックは３０kbpsであり、言い換えれば、日本では数Tbps程度のルータを集中配置すればさばくことができるトラヒック量であることから裏付けられる。
また、自律システム（ＡＳ）の網設計技術力にバラツキがあり、ＡＳ網内の最適化設計が出来ていないＡＳがある。たとえＡＳ網内を最適設計できたとしてもクラスタ接続である為全体最適なネットワーク設計とはなっていないという問題点もある。
【０００５】
（２）エコ（消費電力の削減）への対応遅れ
クラウドコンピューテングが急拡大しており通信機器の消費電力が急増する環境下で、ネットワーク全体での大幅な消費電力削減による省エネとスケーラブルな革新的なネットワークの構築が求められている。
しかし、現状のＩＰネットワークは、常に設備設計された規模での運営であり、トラヒック量の減少に対応して消費電力を削減できるネットワーク構成となっていない。
前述のように、２０１２年のＩＣＴ電力消費予測は５７０億kWhで、ルータ＋ＬＡＮスイッチでそのうちの２１％を占めると予測されており、通信ネットワークの低消費電力化は重要なエコ課題である。
【０００６】
（３）加入者から見たサービスが制限されるケースが発生
自律システム（ＡＳ）は独立に運営されているので、エンド−エンドの串刺しで考えた場合、ルータ／スイッチ等の機能バージョンが揃え難く、旧バージョンのサービスに制限されるケースが発生するという問題がある。
【０００７】
（４）インターネット接続環境の提供、運営が煩雑
ファイアウォール、ＩＰアドレス管理等加入者データ管理が煩雑である。また、AC100Vコンセント並のプラグインスタート化を含めたユーザからみたインターネットの使い勝手の改善要求がある。
【０００８】
そこで、本発明は、現在のインターネットの有する上述した各種問題点を解消し、エネルギー効率が非常に高く、かつ、遅延時間の極めて少ないネットワークシステムを提供することを目的としている。
また、加入者へ提供するサービスの統一及び均一化を図ることができるネットワークシステムを提供することを目的としている。
【課題を解決するための手段】
【０００９】
上記目的を達成するために、本発明のネットワークシステムは、加入者端末装置又は複数加入者端末装置から構成されるグループ（以下、「加入者端末装置等」という。）単位で通信リソースが割り当てられており、前記加入者端末装置等からその加入者端末装置等に割り当てられている通信リソースを用いて送信されたデータを集線してクラウドルータに接続するとともに、前記クラウドルータから送出されたデータをその宛先の加入者端末装置等に分配するアグリゲーションネットワークと、集中配置されたルータにより前記アグリゲーションネットワークを介して受信した前記加入者端末装置等から送信されたデータを、そのデータの宛先の加入者端末装置等に割り当てられた通信リソースに対してスイッチングするクラウドルータを有するサービスクラウドとを有するものである。
また、前記サービスクラウドに、前記クラウドルータに接続され、ネットワークサービスを提供するためのサービス提供サーバが設けられているものである。
さらに、前記アグリゲーションネットワークに、前記加入者端末装置等からの通信帯域要求又は、前記加入者端末装置等への通信帯域に対応して通信リソースを割り当てるデータプレーン制御装置が設けられているものである。
さらにまた、前記クラウドルータは複数のルータの相互接続により構成された１台の仮想ルータであり、該仮想ルータを構成する各ルータは独立ルータとして動作可能な複数のサブ仮想ルータから構成され、トラヒック変動に対応してダイナミックにデータのスイッチング容量を変更し、不要部分の電源を断とすることでトラヒックに対応してクラウドルータの消費電力を制御することができるパワースケーラブルなルータとされている。
【００１０】
さらにまた、前記アグリゲーションネットワークは、前記加入者端末装置等からの通信帯域要求又は、前記加入者端末装置等への通信帯域に対応して、波長、光スロット又はそれらの組み合わせである光リソースを割り当てるものであり、前記加入者端末装置等からのデータを光リソース上の光信号のままトランスペアレントに多重化して前記クラウドルータに接続し、前記クラウドルータから送出されるデータを光リソース上の光信号のままトランスペアレントに分離して宛先の加入者端末装置等に配送するもの、前記加入者端末装置等からの通信帯域要求又は、前記加入者端末装置等への通信帯域に対応してＳＴＭのペイロードを割り当てるものであり、前記加入者端末装置等からのペイロードを多重化して前記クラウドルータに接続し、前記クラウドルータから送出されるペイロードを分離して宛先の加入者端末装置等に配送するもの、あるいは、前記加入者端末装置等からの通信帯域要求又は、前記加入者端末装置等への通信帯域に対応してＭＰＬＳパスを割り当てるものであり、前記加入者端末装置等からのＭＰＬＳパスを多重化して前記クラウドルータに接続し、前記クラウドルータから送出されたデータのＭＰＬＳパスを分離して宛先の加入者端末装置等に配送するものとされている。
さらにまた、前記アグリゲーションネットワークと前記クラウドルータとの間にクロスコネクト装置を設置し、該クロスコネクト装置により通信リソースの収容効率を上げた伝送回線で前記クラウドルータに接続し、通信で使用しない装置及び回線インターフェース部の電源を断とするようになされているものである。
【発明の効果】
【００１１】
このような本発明のネットワークシステムによれば、現在のインターネット網の延長ではないサービスクラウドとアグリゲーションネットワークから構成されるネットワークアーキテクチャにより、ルータをサービスクラウドに集中配備することでルータの総設備規模（総スイッチング容量）の革新的縮小化が図れ、しかもルータ容量を大規模化できるので消費電力を大幅削減でき（例：総容量１Ｔbpsの時、１Ｇbpsルータ×1000台の消費電力は約１００ｋＷ、1Ｔbpsルータ×1台の消費電力は１０ｋＷで消費電力約１／１０）、エネルギー効率を抜本的に向上させた、遅延時間の極めて少ないネットワークシステムを構築することができる。
また、現在のインターネット網に平面的に分散配置されているルータ機能をサービスクラウド内のクラウドルータへ集中配置し、加入者とクラウドルータ間は、加入者端末装置又は複数加入者端末装置から構成されるグループ単位でパケットをアグリゲーションネットワークの通信リソースに割り当て、これらのリソースを上り方向は多重し、下り方向は分離するアグリゲーションネットワーク構成とすることで、ネットワーク構成を単純化し、消費電力を抜本的に削減した１ホップの極めて遅延時間の少ないネットワークシステムを実現することができる。
さらに、クラウドルータのスイッチング容量をトラヒック量に対応して変更することにより、スイッチング容量に対応して未使用部分の電源を落とすことでパワースケーラブルなルータ構成とし、消費電力の削減を図ることができる。
さらにまた、クラウドルータによるルータ／スイッチ等の機能、ソフト版数の一元管理により加入者への提供サービスの統一及び均一化を図ることができる。
さらにまた、サービスクラウド内に、加入者から要求されるサービス機能（ＩＰアドレス払い出し、ＤＮＳ、加入者データ管理、ファイアウォール、ＶＰＮ、広域イーサネット等）を提供するサービス提供サーバを配備することにより、加入者へプラグインサービスを提供することができる。
【図面の簡単な説明】
【００１２】
【図１】本発明のネットワークシステムの一実施の形態の構成を示す図である。
【図２】クラウドルータの一構成例を示す図である。
【図３】クラウドルータのスイッチング容量を可変とする構成について説明するための図である。
【図４】稼働ルータ数とトラヒック量及び稼働ルータ数と消費電力の関係のイメージを示す図である。
【図５】光リソースを用いるアグリゲーションネットワークの構成例を示す図である。
【図６】スロット多重／分離と波長多重／分離を直列に用いた光アグリゲーションネットワークの構成例を示す図である。
【図７】波長多重／分離とスロット多重／分離とを、直列と並列併用組み合わせた光アグリゲーションネットワークの一実施の形態の構成を示す図である。
【図８】ビット多重／分離と波長多重／分離を並列に用いた光アグリゲーションネットワークの構成例を示す図である。
【図９】ＳＴＭベースのアグリゲーションネットワークの構成例を示す図である。
【図１０】ＭＰＬＳベースのアグリゲーションネットワークの構成例を示す図である。
【図１１】クロスコネクト装置を活用してさらに消費電力の節減を測ったクラウドルータの構成例を示す図である。
【図１２】現在のインターネットの網構成を示す図である。
【図１３】現在のインターネットにおけるホップ数の分布を示す図である。
【発明を実施するための形態】
【００１３】
図１は、本発明のネットワークシステムの一実施の形態の構成を示す図である。
この図に示すように、本発明のネットワークシステム１は、サービスの提供を受ける又はサービスを提供する加入者端末装置２、加入者端末装置２とクラウドルータ５を接続する多重／分離ネットワークであるアグリゲーションネットワーク３、及び、ルータが集中配置されたクラウドルータ５とサービス提供サーバ６を有するサービスクラウド４から構成されている。
【００１４】
加入者端末装置２又は複数加入者端末装置２から構成されるグループ単位に前記アグリゲーションネットワーク３の通信リソースが割り当てられており、アグリゲーションネットワーク３は、加入者端末装置２又は複数加入者端末装置２から構成されるグループから入力されるデータをそのまま多重化して前記クラウドルータ５に接続する。クラウドルータ５は、受け取ったデータの宛先を判定して、宛先の加入者端末装置２又は複数加入者端末装置２から構成されるグループ単位に割り当てられている通信リソースにそのデータをスイッチングする。アグリゲーションネットワーク３は、前記クラウドルータ５でスイッチングされたデータを受け取り、分離して宛先の加入者端末装置２又は複数加入者端末装置２から構成されるグループ単位に配送する。
ここで、データの種類はＩＰパケットに限られることはなく、加入者端末装置２が送受信するデータの種類には制限されない。
【００１５】
前記アグリゲーションネットワーク３は、データプレーン（加入者端末装置２又は複数加入者端末装置２から構成されるグループからのデータをクラウドルータ５へ送信する、また、クラウドルータ５からのデータを加入者端末装置２又は複数加入者端末装置２から構成されるグループへ返信するというデータを送受信する面）と、データプレーンの通信リソースを管理して加入者端末装置２又は複数加入者端末装置２から構成されるグループからの通信帯域要求、もしくは、加入者端末装置２又複数加入者端末装置２から構成されるグループへの通信帯域に対応して通信リソースを割り当てるデータプレーン制御装置から構成されており、加入者端末装置２又は複数加入者端末装置２から構成されるグループを単位としてダイナミックに通信リソースを割り当てる。
なお、加入者端末装置２又は複数加入者端末装置２から構成されるグループ単位に予め固定的に通信リソースを割り当てておくようにしてもよい。
【００１６】
前記クラウドルータ５は、現在のインターネット網に平面的に分散配置されているルータ機能を集中配置したものである。後述するように、クラウドルータ５のスイッチング容量はトラヒック量（通信量）に応じて変更することができるようになされており、図１において、クラウドルータ５の直径が複数存在するように記載しているのは、トラヒック量に対応したパワースケーラブルなルータであることを表している。
【００１７】
前記サービス提供サーバ６は、加入者端末装置２に対して、ＩＰアドレス払い出し、ＤＮＳ（Domain Name System）、加入者データ管理、ファイアウォール、ＶＰＮ（Virtual Private Network）、広域イーサネットシステム等のインターネットサービスを提供するものであり、前記クラウドルータ５に接続されている。
前記加入者端末装置２からのパケットの宛先がサービス提供サーバ６に対するものである場合には、そのパケットは前記クラウドルータ５によりサービス提供サーバ６に転送される。サービス提供サーバ６からの応答パケットはクラウドルータ５に入力されて、前述と同様にして、前記アグリゲーションネットワーク３を介して宛先の加入者端末装置２に配送される。
【００１８】
このように、加入者端末装置２とクラウドルータ５の間を、上り方向は多重し、下り方向は分離するアグリゲーションネットワーク３で接続し、スイッチング処理はクラウドルータ５においてのみ実行するというようにネットワーク構成を単純化しルータを集中配置することにより、消費電力を抜本的に削減することができ、また、１ホップでデータを宛先に送信できる極めて遅延時間の少ないネットワークを実現することができる。
前述のように、日本におけるブロードバンド契約者の平均トラヒックは３０kbpsで、加入者数が３０００万であることから、前記クラウドルータ５として、数Ｔbpsのルータを集中配置すれば日本中のトラヒックをさばくことが可能である。
また、クラウドルータ５のスイッチング容量をトラヒック量に対応して変更し、不使用部分の電源を落とすことによりパワースケーラブルな構成とし、消費電力の削減を図ることができる。
【００１９】
さらに、クラウドルータ５によるルータ／スイッチ等の機能、ソフト版数の一元管理により、加入者への提供サービスの統一及び均一化を図ることができる。また自律システム（ＡＳ）での個々の独立運営に対し、クラウドルータでの統一運営によりルータ／スイッチ等の機能バージョンの統一化を図ることができ、エンド−エンドの加入者へのサービスが制限されるケースは発生しなくなる。
【００２０】
さらにまた、クラウドルータ５は直接加入者又は複数加入者のグループを収容できるので、サービスクラウド４内に各種サービス（ＩＰアドレス払い出し、ＤＮＳ、加入者データ管理、ファイアウォール、ＶＰＮ、広域イーサネットシステム等）を提供するサービス提供サーバ６を集中配備することにより、プラグインスタートサービスを含めた各種サービスを提供することができ、AC100Vコンセント並の使い易さを提供することができる。
【００２１】
図２は、前記クラウドルータ５の一構成例を示す図である。
クラウドルータ５は、複数のルータ（物理構成単位はシャーシ）の相互接続により構成された１台の仮想ルータである。図中１１〜１４はシャーシであり、各シャーシに、入力側の回線カード、物理ルータ及び出力側の回線カードが設けられている。
仮想ルータを構成する各物理ルータは、複数（図示する例では、４台）のサブ仮想ルータ（サブＶＲ：sub  Virtual  Router）として使用することができるようになされており、各サブ仮想ルータは、個別のルーティングテーブルを持ち、独立動作する。
このように、クラウドルータ５は仮想化ルータのビルディングブロック構成とされており、スケーラブルなルータが構成されている。これにより、通信トラヒックの変動に対応してスイッチング容量を変更して、未使用部分の電源を断とすることができ、ルータのスイッチング容量に対応した消費電力制御が可能となる。
なお、この例では、４台の物理ルータを示しているが物理ルータの数は所望の台数とすることができる。また、１台の物理ルータをサブＶＲ４台に分割する構成とされているが、これに限られることはなく、分割数も任意に決定することができる。
【００２２】
図３を参照してルータのスイッチング容量の可変化についてさらに説明する。
図示する例では、物理ルータ＃１〜＃Ｎが設けられており、各物理ルータには、入力側の回線対応部、クロスバースイッチ部及び出力側の回線対応部が設けられている。ここで、回線対応部は、前記図２における回線カードに相当するものである。このような構成において、トラヒック量に対応して、完全群を構成するクロスバースイッチの規模を変更する。図３の例では、トラヒック量が少なくなったのでルータ＃３のクロスバースイッチ部１５〜ルータ＃Ｎのクロスバースイッチ部１６を未使用とし、それらの電源を落としている。これにより、消費電力を削減することが可能となる。
【００２３】
図４は、トラヒックに対応したルータ規模のビルディングブロック構成と消費電力のイメージを示す図である。ここでは、１台の物理ルータが４台のサブ仮想ルータ（サブVR）に分割される場合について示している。
図４の（ａ）は、稼働ルータ数とトラヒック量の関係を示す図であり、この図に示すように、稼働サブＶＲ数と処理できるトラヒック量は比例しており、トラヒック量に応じて稼働サブＶＲ数を変更できる。
図４の（ｂ）は、稼働サブＶＲ数と消費電力の関係を示す図である。この図に示すように、稼働しているサブＶＲの台数に応じて消費電力が増大している。
このように、トラヒック量に対応して稼働するクラウドルータ内のサブＶＲ数を制御することにより、消費電力を削減することができる。
【００２４】
次に、前記アグリゲーションネットワーク３の各種構成例について説明する。
（ａ）アグリゲーションネットワーク構成例１：光リソース
図５は、通信リソースとして光リソースを用いるアグリゲーションネットワーク（光アグリゲーションネットワーク）の構成例を示す図である。
この図において、３１〜３９は光信号を電気信号に変換することなく光信号のまま転送する光トランスペアレント多重／分離装置であり、図示するように、ツリー状に接続されている。また、４０は、光データプレーン制御装置であり、データプレーンの光リソースを管理して、加入者端末装置又は複数加入者端末装置から構成されるグループ（加入者端末装置等）からの通信帯域要求（上り方向）、又は、加入者端末装置等への通信帯域（下り方向）に対応して、加入者端末装置等の単位に光リソースを割り当てる処理を行う。
【００２５】
まず、加入者端末装置等から出力されるデータを前記クラウドルータ５に接続する上り方向について説明する。
加入者端末装置等からのデータは、直接又はＯＮＵ（Optical Network Unit：加入者宅側の光回線終端装置）経由で光リソース（波長又は光スロットなど）上の光信号に変換されて、最下段の光多重／分離装置３１、３２、３３〜３４に出力される。また、移動体通信システムなどにおける電波信号をその形式を保ったまま光リソース上の光信号に変換したRadio on Fiber信号も、接続されている最下段の光多重／分離装置３１〜３４に出力される。
最下段の光多重／分離装置３１〜３４はそれぞれ入力された光信号をそのまま多重して出力し、該出力信号は、その上段に配置された光多重／分離装置３５〜３６に入力されて多重され、さらにその上位に配置された光多重／分離装置に出力される。以下、同様に、下段の光多重／分離装置において多重された出力信号がその上段の光多重／分離装置に入力されていき、光多重／分離装置３７〜３８の出力は最上段の光多重／分離装置３９に入力される。最上段の光多重／分離装置３９において多重された出力信号は、前記サービスクラウド４におけるクラウドルータ５に入力される。
【００２６】
一方、下り方向については、クラウドルータ５によりスイッチングされ、宛先の加入者端末装置等に割り当てられた光リソース上の光信号は、最上段の光多重／分離装置３９に入力され、そこで上り方向における多重処理の逆方向の処理により分離されて対応する次段の光多重／分離装置３７〜３８に入力される。光多重／分離装置３７〜３８に入力された信号は、それぞれ同様に分離されて対応する次段の光多重／分離装置に出力され、以下、同様に、上段の光多重／分離装置から出力された光信号は分離されて、それぞれ対応する下段の光多重／分離装置に入力される。そして、下から２段目に配置された光多重／分離装置３５〜３６からそれぞれ対応する最下段に配置された光多重／分離装置３１〜３４に入力され、各光多重／分離装置３１〜３４から対応する宛先の加入者端末装置等に出力されることとなる。
【００２７】
ここで、この光アグリゲーションネットワークにおける光リソースとしては、波長、光スロット及びそれらの組み合わせなどがあり、光アグリゲーションネットワークの具体的な構成例として各種のものがある。
図６は、（ａ−１）スロット多重／分離と波長多重／分離を直列に用いた光アグリゲーションネットワークの一実施の形態の構成例を示す図である。
この実施の形態では、サブアクセスドメインごとに異なる波長が割り当てられており、各サブアクセスドメインの加入者端末装置等からの信号はスロット多重されるようになされている。すなわち、一定時間幅のフレームを複数のスロットに分割し、該分割したスロットを各加入者端末装置等に割り当てる。
【００２８】
図示する例では、サブアクセスドメインＡには波長λ１、サブアクセスドメインＢには波長λ２、・・・、サブアクセスドメインＺには波長λｎが割り当てられている。
そして、サブアクセスドメインＡに属する加入者Ａ０からの送信データは、波長λ１の加入者Ａ０に割り当てられたスロットの光信号に変換されてアグリゲーションネットワーク３の光多重／分離装置６１に出力される。また、加入者Ａ１からの送信データは波長λ１の加入者Ａ１に割り当てられたスロットの光信号に変換されて光多重／分離装置６１に入力される。以下同様に、加入者ＡＮからの送信データは波長λ１の加入者ＡＮに割り当てられたスロットの光信号に変換されて光多重／分離装置６１に入力される。光多重／分離装置６１は、加入者Ａ０〜ＡＮからの光信号を合波して、波長λ１のスロット多重された光信号を光多重／分離装置６４に出力する。
【００２９】
また、サブアクセスドメインＢに属する加入者Ｂ０からの送信データは、波長λ２の加入者Ｂ０に割り当てられたスロットの光信号に変換されて光多重／分離装置６２に出力され、加入者Ｂ１、・・・、加入者ＢＮからの送信データも波長λ２のそれぞれ対応するスロットの光信号に変換されて、光多重／分離装置６２に出力される。そして、光多重／分離装置６２において合波され、波長λ２のスロット多重された光信号が光多重／分離装置６４に出力される。
以下同様に、サブアクセスドメインＺに属する加入者Ｚ０、Ｚ１、・・・、ＺＮからの送信データは、波長λｎのそれぞれに対応するスロットの光信号に変換され、光多重／分離装置６３に出力される。光多重／分離装置６３は、加入者Ｚ０〜ＺＮからの光信号を合波し、波長λｎのスロット多重された光信号を光多重／分離装置６４に出力する。
【００３０】
光多重／分離装置６４は、前記光多重／分離装置６１からの波長λ１のスロット多重された光信号、前記光多重／分離装置６２からの波長λ２のスロット多重された光信号、・・・、前記光多重／分離装置６３からの波長λｎのスロット多重された光信号を合波し、波長λ１〜λｎの光信号が多重された光信号を前記クラウドルータ５に出力する。
以上がこの実施の形態のアグリゲーションネットワークにおける上り方向の光信号の流れである。
【００３１】
次に、下り方向における光信号の流れについて説明する。
前記クラウドルータ５は、アグリゲーションネットワーク３から出力される光信号を受信し、電気信号に戻して各データに含まれている宛先アドレスを解読し、そのデータを宛先の加入者の属するサブアクセスドメインの波長のその加入者に割り当てられたスロットの光信号に変換して前記アグリゲーションネットワーク３に送信する。これにより、前記クラウドルータ５においてスイッチングされたデータが、それぞれの宛先である加入者に対応する波長における対応するスロットの光信号に変換されてアグリゲーションネットワーク３に入力され、各サブアクセスドメインに割り当てられた波長λ１〜λｎのスロット多重された光信号が前記光多重／分離装置６４に入力される。
【００３２】
前記光多重／分離装置６４は、波長λ１〜λｎのスロット多重された光信号を波長ごとに分波し、波長λ１の光信号を前記光多重／分離装置６１に、波長λ２の光信号を前記光多重／分離装置６２に、以下同様に、波長λｎの光信号を前記光多重／分離装置６３に出力する。
前記光多重／分離装置６１は、前記光多重／分離装置６４から入力された波長λ１のスロット多重された光信号を各スロットに分離して各スロットに割り当てられた加入者Ａ０〜ＡＮに送信する。同様に、前記光多重／分離装置６２は波長λ２のスロット多重された光信号を各スロットに分離して各スロットに割り当てられた加入者Ｂ０〜ＢＮに送信し、光多重／分離装置６３は波長λｎのスロット多重された光信号を各スロットに分離して各スロットに割り当てられた加入者Ｚ０〜ＺＮに送信する。
このようにして、前記クラウドルータ５でルーティングされたデータは、その宛先の加入者の属するサブアクセスドメインに割り当てられた波長λｉのその加入者に割り当てられたスロットに投入されることにより、前記アグリゲーションネットワーク３を介して分離され、その宛先の加入者に配送される。
【００３３】
図７は、（ａ−２）波長多重／分離とスロット多重／分離とを、直列と並列併用組み合わせた光アグリゲーションネットワークの一実施の形態の構成例を示す図である。
この実施の形態では、加入者端末装置等から送信要求があったとき、前記光データプレーン制御装置４０に対して上り方向の所要の帯域を要求する。また、下り方向では、加入者端末装置等にデータを配送するための通信帯域を前記光データプレーン制御装置４０に要求する。光データプレーン制御装置４０は、上り方向の各加入者端末装置等からのリソース要求、及び、下り方向の各加入者端末装置等への通信帯域に対して、それぞれ割り当てる波長及び光スロットが重なり合うことが無いように送信する波長及び光スロットを決定し、該決定した波長及び光スロットを含むリソース割当情報を各光多重／分離装置７１〜７４に通知する。該リソース割当情報を受信した加入者端末装置等は、データを光データプレーン制御装置４０により指定された波長及び光スロットの光信号に変換して送信し、各光多重／分離装置７１〜７４は光データプレーン制御装置４０から通知されたリソース割当情報に基づいて制御動作を行う。
【００３４】
図７に示す例では、光データプレーン制御装置４０により決定されたリソース割当情報に基づいて、加入者Ａ０は波長λ１で時刻T0からT1まで継続する光信号を送信し、加入者Ａ１は波長λ２で時刻T0からT2までの光信号を送信し、加入者ＡＮは波長λｎで時刻T3からT4までの光信号を送信し、これらの光信号は光多重／分離装置７１に入力される。
また、加入者Ｂ０は波長λｎで時刻T5からT6までの光信号を送信し、加入者Ｂ１は波長λ１で時刻T1からT7までの光信号を送信し、加入者ＢＮは波長λｎで時刻T6からT3までの光信号を送信し、これらの光信号は光多重／分離装置７２に入力される。
同様に、加入者Ｚ０は波長λｎで時刻T0からT5までの光信号を送信し、加入者Ｚ１は波長λ１で時刻T7からT4までの光信号を送信し、加入者ＺＮは波長λ２で時刻T2からT4までの光信号を送信し、これらの光信号は光多重／分離装置７３に入力される。
【００３５】
光多重／分離装置７１は、波長λ１の時刻T0からT1までの加入者Ａ０からの光信号、波長λ２の時刻T0からT2の加入者Ａ１からの光信号、及び、波長λｎの時刻T3からT4の加入者ＡＮからの光信号を合波し、波長λ１、λ２、波長λｎが波長多重された光信号を光多重／分離装置７４に出力する。
また、光多重／分離装置７２は、波長λ１の時刻T1からT7の加入者Ｂ１からの光信号、波長λｎの時刻T5からT6の加入者Ｂ０からの光信号、及び、波長λｎの時刻T6からT3の加入者ＢＮからの光信号を合波し、波長λ１及び波長λｎが波長多重された光信号を光多重／分離装置７４に出力する。
同様に、光多重／分離装置７３は、波長λｎの時刻T0からT5の加入者Ｚ０からの光信号、波長λ２の時刻T2からT4の加入者ＺＮからの光信号、及び、波長λ１の時刻T7からT4の加入者Ｚ１からの光信号を合波し、波長λ１、λ２及び波長λｎが波長多重された光信号を光多重／分離装置７４に出力する。
【００３６】
光多重／分離装置７４は、前記光多重／分離装置７１、７２及び７３から入力される波長λ１、λ２及びλｎが波長多重された光信号を合波する。これにより、図示するように、各加入者からの光信号が各波長において重なり合うことがないように配列された光信号が光多重／分離装置７４から前記クラウドルータ５に出力される。
以上が、上り方向の光信号の流れである。
【００３７】
次に、下り方向の光信号の流れについて説明する。
前記クラウドルータ５によりルーティングされたデータは、その宛先の加入者端末装置等に対して前記光データプレーン制御装置４０により割り当てられたリソースの位置に投入される。これにより、加入者端末装置等に対して送信される下り方向の光信号が波長λ１、λ２及びλｎの各波長において、それぞれ割り当てられたタイミングで多重された光信号が前記光多重／分離装置７４に入力される。
光多重／分離装置７４では、前記光データプレーン制御装置４０の制御に応じて、入力される波長多重及び時分割多重された光信号を、その加入者端末装置等の属する光多重／分離装置に分配する。すなわち、入力された光信号を各波長に分波し、光データプレーン制御装置４０からのリソース割当情報に基づいて各波長の光信号を下段の加入者端末装置等に切り替え接続する光スイッチを制御することにより、前記波長ごとに加入者に割り当てられた光スロットに応じてその加入者が接続されている光多重／分離装置に分配する。
【００３８】
図示する例では、光多重／分離装置７４は、波長λ１の時刻T0からT1の光信号、波長λ２の時刻T0からT2の光信号及び波長λｎの時刻T3からT4の光信号を光多重／分離装置７１に対して出力し、波長λ１の時刻T1からT7の光信号、波長λｎの時刻T5からT6及び時刻T6からT3の光信号を光多重／分離装置７２に対して出力し、波長λ１の時刻T7からT4の光信号、波長λ２の時刻T2からT4の光信号及び波長λｎの時刻T0からT5の光信号を光多重／分離装置７３に対して出力するようにスイッチングする。
【００３９】
光多重／分離装置７１、７２及び７３は、前記光多重／分離装置７４から出力された光信号を波長ごとに分波し、光データプレーン制御装置４０からのリソース割当情報に基づいて各加入者に割り当てられた波長又は光スロットの光信号をそれぞれの加入者端末装置等に出力する。
すなわち、光多重／分離装置７１は、波長λ１の時刻T0からT1の光信号を加入者Ａ０に出力し、波長λ２の時刻T0からT2の光信号を加入者Ａ１に出力し、波長λｎの時刻T3からT4の光信号を加入者ＡＮに出力する。また、光多重／分離装置７２は、波長λｎの時刻T5からT6の光信号を加入者Ｂ０に出力し、波長λ１の時刻T1からT7の光信号を加入者Ｂ１に出力し、波長λｎの時刻T6からT3の光信号を加入者ＢＮに出力する。さらに、光多重／分離装置７３は、波長λｎの時刻T0からT5の光信号を加入者Ｚ０に出力し、波長λ２の時刻T2からT4の光信号を加入者ＺＮに出力し、波長λ１の時刻T7からT4の光信号を加入者Ｚ１に出力する。
【００４０】
図８は、（ａ−３）ビット多重／分離と波長多重／分離を並列に用いた光アグリゲーションネットワークの一実施の形態の構成例を示す図である。
この実施の形態では、各加入者端末装置等からのデータのビット列を波長でインターリーブして生成された波長分割多重された光信号を各加入者端末装置等に割り当てられたタイミングで送信するようにしている。この光信号は、図示する例では１ビット幅としている。図８に示す例では、簡単のため、波長がλ１、λ２及びλｎの場合を示している。
【００４１】
図示するように、加入者Ａ０はデータに含まれるビット列を複数の波長でインターリーブした波長分割多重された光信号を割り当てられたタイミングで送信する。同様に、加入者Ａ１及び加入者ＡＮもそれぞれに割り当てられたタイミングでその送信データを波長分割多重した光信号を送信する。これら加入者Ａ０〜ＡＮから送信された光信号は、光多重／分離装置８１に入力されて合波され、光多重／分離装置８１からは加入者Ａ０〜ＡＮからの光信号が多重された光信号が光多重／分離装置８４に対して出力される。
【００４２】
同様に、加入者Ｂ０、加入者Ｂ１及び加入者ＢＮは、各加入者に割り当てられたタイミングでその送信信号を波長分割多重した光信号を送信する。これらの光信号は光多重／分離装置８２に入力されて合波され、光多重／分離装置８２からは加入者Ｂ０〜ＢＮからの光信号が多重された光信号が光多重／分離装置８４に出力される。ここで、加入者Ｂ０〜ＢＮに割り当てられているタイミングは、図示するように、前記加入者Ａ０〜ＡＮに割り当てられているタイミングに後続するタイミングとされている。
また、加入者Ｚ０、加入者Ｚ１及び加入者ＺＮからも、同様に、各加入者に割り当てられたタイミングで対応する加入者からの送信データを波長分割多重した光信号が送信される。そして、これらの光信号は光多重／分離装置８３において合波され、光多重／分離装置８４に出力される。ここで、加入者Ｚ０〜ＺＮに割り当てられているタイミングは、図示するように、加入者Ｂ０〜ＢＮに割り当てられているタイミングに後続するタイミングである。
【００４３】
光多重／分離装置８４は、光多重／分離装置８１〜８３からの光信号を合波して、前記クラウドルータ５に出力する。前述のように、加入者Ａ０〜加入者ＡＮ、加入者Ｂ０〜加入者ＢＮ、及び、加入者Ｚ０〜加入者ＺＮに割り当てられているビットタイミングは重なっていないので、光多重／分離装置８４により合波するだけで、図示するように加入者Ａ０〜ＡＮ、加入者Ｂ０〜ＢＮ及び加入者Ｚ０〜ＺＮからのデータ順に配置された光信号が光多重／分離装置８４から出力される。
以上が、上り方向の光信号の流れである。
【００４４】
次に、下り方向の光信号の流れについて説明する。
前述のように、前記クラウドルータ５においてルーティングされたデータは、その宛先の加入者に割り当てられた光リソース（この場合は、ビットタイミング）に投入されて、アグリゲーションネットワーク３に入力される。これにより、各加入者宛の光信号が多重された光信号が光多重／分離装置８４に入力される。
光多重／分離装置８４は、下り方向の光信号をそのタイミングに応じて、前記光多重／分離装置８１、８２及び８３にスイッチングする。すなわち、加入者Ａ０〜ＡＮに割り当てられたタイミングの光信号は光多重／分離装置８１に出力し、加入者Ｂ０〜ＢＮに割り当てられたタイミングの光信号は光多重／分離装置８２に出力し、加入者Ｚ０〜ＺＮに割り当てられたタイミングの光信号は光多重／分離装置８３に出力する。
【００４５】
光多重／分離装置８１、８２及び８３は、前記光多重／分離装置８４から入力された光信号をそれぞれの加入者端末装置等に対応するタイミングでその加入者端末装置等に対して出力するように、スイッチングを行う。
すなわち、光多重／分離装置８１は、前記光多重／分離装置８４から送信された加入者Ａ０〜ＡＮ向けの光信号を各加入者Ａ０〜ＡＮに割り当てられたタイミングでスイッチング制御して、加入者Ａ０向けの波長分割多重されたビットを加入者Ａ０に出力し、加入者Ａ１向けのビットを加入者Ａ１に出力し、加入者ＡＮ向けのビットを加入者ＡＮに出力する。
【００４６】
同様に、光多重／分離装置８２は、前記光多重／分離装置８４から送信された加入者Ｂ０〜ＢＮ向けの光信号をそれぞれ対応する加入者に出力するようにスイッチングを行い、光多重／分離装置８３は、前記光多重／分離装置８４から送信された加入者Ｚ０〜ＺＮ向けの光信号をそれぞれ対応する加入者にスイッチングする。
【００４７】
上記図６〜図８に記載したアグリゲーションネットワークの実施の形態は、光リソースを用いるものであった。次に、電気信号を用いる実施の形態について説明する。
図９は、（ｂ）ＳＴＭ（Synchronous Transfer Mode：同期転送モード）ベースのアグリゲーションネットワークの一実施の形態の構成を示す図である。
【００４８】
この実施の形態のアグリゲーションネットワークでは、ＩＰパケットをＳＴＭベースで収集／振分する機能部、例えば、ＯＬＴ（Optical Line Terminal）等で管理される加入者又は複数加入者のグループ単位のペイロードでＳＴＭベースの多重／分離を行い、クラウドルータ５と接続する。クラウドルータ５は前記ペイロード単位でルーティング（振り分け）を行う。このとき、クラウドルータのリンクと加入者端末装置等のＩＰアドレスとの対応付けはチャネライズドされたペイロード単位で行う。また、上り／下りの非対称データ量に対応して、通信帯域はチャネライズドされたペイロード単位で上り／下り独立に設定する。
【００４９】
図９に示した例では、マルチプレクサ９１で加入者Ａグループ、加入者Ｂ及び加入者Ｃグループからの送信信号が多重化され、マルチプレクサ９２で加入者Ｄグループ、加入者Ｅグループ及び加入者Ｆグループからの送信信号が多重化される。マルチプレクサ９１及び９２からの多重化された信号はさらにマルチプレクサ９３で多重化され、クラウドルータ５に入力される。
クラウドルータ５でルーティングされたＩＰパケットは、宛先の加入者端末装置等のＩＰアドレスに対応するペイロードに配置されてデマルチプレクサ９４に供給される。デマルチプレクサ９４に入力されたペイロードは、デマルチプレクサ９５と９６に分配され、さらにデマルチプレクサ９５及び９６によりそれぞれの宛先の加入者端末装置等に分配される。
【００５０】
図１０は、（ｃ）ＭＰＬＳ（Multi-Protocol Label Switching）ベースのアグリゲーションネットワークの一実施の形態の構成を示す図である。
この図に示すように、この実施の形態のアグリゲーションネットワークでは、ＩＰパケットをＳＴＭベースで収集／振分する機能部（ＯＬＴ等）で管理される加入者又は複数加入者のグループ単位でＭＰＬＳのパスに収容し、該ＭＰＬＳパスを多重化し、さらに複数のパスの多重化を重ねてクラウドルータ５と接続する。クラウドルータ５は前記ＭＰＬＳパス単位でルーティング（振り分け）を行う。このとき、クラウドルータのリンクと加入者端末装置等のＩＰアドレスの対応付けはＭＰＬＳ単位で行う。クラウドルータからの下り方向については、上り方向と逆の動作を行い、上りと下りのＭＰＬＳパスの帯域は通信量に対応して独立に設定する。
【００５１】
図１０に示した例では、ＭＰＬＳ対応ルータ１０１で加入者Ａグループ、加入者Ｂ及び加入者ＣグループからのパケットのＭＰＬＳパスが多重化され、ＭＰＬＳ対応ルータ１０２で加入者グループＤ、加入者グループＥ及び加入者グループＦからのパケットのＭＰＬＳパスが多重化される。そして、ＭＰＬＳ対応ルータ１０１及び１０２からの多重化されたＭＰＬＳパスはさらにＭＰＬＳ対応ルータ１０３で多重化され、クラウドルータ５に接続される。クラウドルータ５はＭＰＬＳパス単位でルーティングを行い、宛先の加入者端末装置等に対するＭＰＬＳパスにそのパケットを送出する。ＭＰＬＳパスはＭＰＬＳ対応ルータ１０４で分配され、ＭＰＬＳ対応ルータ１０５又は１０６でさらに分配されて、それぞれ対応する加入者端末装置等にパケットが転送される。
【００５２】
前記図３に関して説明したように、前記クラウドルータ５は、トラヒック量に対応してクロスバースイッチ規模を変更し、使用しないクロスバースイッチ部の電源を落とすことにより消費電力を節減することができるものであるが、さらに消費電力を節減することができる実施の形態について説明する。
図１１は、この実施の形態の構成を示す図である。この図と前記図３とを比較すると明らかなように、この実施の形態では、クラウドルータ５の入力側にクロスコネクト装置（ＸＣ）２５が設けられ、出力側にクロスコネクト装置（ＸＣ）２６が設けられている。
このクロスコネクト装置２５及び２５を用いて、トラヒック量に応じて回線を集約し、不使用のクロスバースイッチ部だけではなく、不使用の回線対応部（回線カード）の電源も遮断することにより、さらに消費電力を削減するようにしている。
図示する例では、ルータ＃３〜ルータ＃Ｎの回線が集約され、ルータ＃３の回線対応部１７及び１８〜ルータ＃Ｎの回線対応部１９及び２０、クロスバースイッチ部１５〜１６を含め、ルータ＃３〜ルータ＃Ｎが電源断とされている。
【００５３】
前記図５〜図８に示したような光リソースを用いるアグリゲーションネットワークが用いられている場合には、該アグリゲーションネットワーク３とクラウドルータ５の間に設置されたクロスコネクト装置２５及び２６により、光リソース（波長、光スロット又は波長と光スロットの組み合わせ）の収容効率を上げた伝送回線でクラウドルータ５と接続し、通信で使用しない回線対応部及びクロスバースイッチ部の電源を断とする。
また、前記図９に示したＳＴＭベースのアグリゲーションネットワークが用いられている場合には、該アグリゲーションネットワーク３とクラウドルータ５の間に設置されたクロスコネクト装置２５及び２６により、ＩＰパケットを運ぶペイロードの集線を行ってペイロードの収容効率を上げた伝送回線でクラウドルータ５と接続し、通信で使用しない回線対応部及びクロスバースイッチ部の電源を断とする。
さらに、前記図１０に示したＭＰＬＳベースのアグリゲーションネットワークが用いられている場合には、該アグリゲーションネットワーク３とクラウドルータ５の間に設置されたクロスコネクト装置２５及び２６により、ＭＰＬＳパスの収容効率を上げた伝送回線でクラウドルータ５と接続し、通信で使用しない回線対応部及びクロスバースイッチ部の電源を断とする。
【００５４】
このように、この実施の形態では、クロスコネクト装置（ＸＣ）を活用して、クラウドルータの入力／出力回線の光リソース、ペイロード又はＭＰＬＳのパス帯域の使用率を上げ、不要な回線カードの電源を落とし、消費電力を削減している。さらに、加入者又は複数加入者のグループの通信帯域の縮小／拡大により通信リソースである光リソース、ペイロード又はＭＰＬＳのパス帯域の使用効率を改善し、消費電力の削減を図るものである。
【符号の説明】
【００５５】
１：ネットワークシステム、２：加入者の端末装置、３：アグリゲーションネットワーク、４：サービスクラウド、５：クラウドルータ、６：サービス提供サーバ、１１，１２，１３，１４：シャーシ、１５，１６：クロスバースイッチ部、１７〜２０：回線対応部、２５，２６：クロスコネクト装置、３１〜３９：光多重／分離装置、４０：光データプレーン制御装置、６１〜６４，７１〜７４，８１〜８４：光多重／分離装置、９１〜９３：マルチプレクサ、９４〜９６：デマルチプレクサ、１０１〜１０６：ＭＰＬＳ対応ルータ
【図１】
2011188263.tif 000003
【図２】
2011188263.tif 000004
【図３】
2011188263.tif 000005
【図４】
2011188263.tif 000006
【図５】
2011188263.tif 000007
【図６】
2011188263.tif 000008
【図７】
2011188263.tif 000009
【図８】
2011188263.tif 000010
【図９】
2011188263.tif 000011
【図１０】
2011188263.tif 000012
【図１１】
2011188263.tif 000013
【図１２】
2011188263.tif 000014
【図１３】
2011188263.tif 000015